(57)【要約】【課題】同時に複数枚の紙類を容易に挿入することができ、挿入された紙類は確実に保持され、また保持された紙類を下部の紙類が脱落することなく、上部から１枚ずつ確実に抜き取ることができ、かつ引き抜かれた紙には直線状の綺麗な引き裂き跡が残り、塵が発生しにくいペーパーホルダーを提供する。【解決手段】底面部11を含む台部12と、上覆部15とが着脱可能に係合し、一体化されて紙類の挿入口19が形成されるケース10と、ケース内部の軸支部17において回動可能に軸支され、かつ紙類の引き抜き方向へバネ力が付勢され、底面部11側の端部から突出するように刃40が設けられている保持片20とを備える。底面部11の内面に、挿入口19近傍の位置から刃40の先端部43近傍の位置に向けて緩やかな負の勾配となる前方斜面部11aと、刃40の先端部近傍の位置から紙類の挿入方向に向けて緩やかな正の勾配となる後方斜面部11cとを形成する。【選択図】図１
2012121203.tif 000002
【特許請求の範囲】
【請求項１】
底面部を含む台部と、底面部と空間を隔ててほぼ平行に対向する上面部と該上面部の前端に側面視略Ｕ字状をなす前端正面部とを有する上覆部と、が着脱可能に係合し、一体化されて前記前端正面部の下方に紙類の挿入口が形成されるケースと、
前記ケースの内部に設けられた軸支部において回動可能に軸支され、かつ前記紙類の引き抜き方向へバネ力が付勢された保持片であって、前記底面部側の端部から突出するように刃が設けられた保持片とを備え、
前記刃の先端部を、挿入された紙類に当接させて紙類を保持するように構成した、ペーパーホルダーであって、
前記底面部の内面に、前記挿入口近傍の位置から前記刃の先端部近傍の位置に向けて緩やかな負の勾配となる前方斜面部と、前記刃の先端部近傍の位置から前記紙類の挿入方向に向けて緩やかな正の勾配となる後方斜面部とを形成した、ペーパーホルダー。
【請求項２】
前記前端正面部の下端は、前記前方斜面部とほぼ平行に形成され、側面視、前記紙類の挿入口が、前記刃の先端部近傍の位置に向けて斜状に延びる通路として形成されている、請求項１に記載のペーパーホルダー。
【請求項３】
前記勾配は６〜２０°であり、前記前方斜面部及び前記後方斜面部それぞれの高低差は０．８〜３ｍｍであり、前記前方斜面部及び前記後方斜面部それぞれの水平方向長さは４〜１０ｍｍである、請求項１又は２に記載のペーパーホルダー。
【発明の詳細な説明】
【技術分野】
【０００１】
本発明は、同時に複数枚の紙類を容易に挿入することができ、かつ下部の紙類が脱落することなく、上部から1枚ずつ確実に抜き取ることができ、また、引き抜かれた紙には直線状の綺麗な引き裂き跡が残るペーパーホルダーに関する。
【背景技術】
【０００２】
従来、紙類を挟んで固定するために使用するペーパーホルダーとしては各種のものがあるが、その基本構造として、ケースの一方の側に紙類を挿入するための挿入口を有するとともに、ケースの内部に紙類を保持するための保持部材を備えたものが知られている。
特許文献１には、「挿入溝内に配置され、挿入溝に挿入された書類の移動に伴って正転または逆転する転動体と、前記転動体の表面に形成され、転動体の回転に応じて前記挿入溝に進退する針状体」を備え、「前記針状体は転動体の逆転時に挿入溝に進出して前記書類を刺し止めることを特徴とする書類保持具」が記載されている。また、「転動体は付勢手段により逆転方向に付勢されている」構成が記載されている。
特許文献２には、本発明者の発明に係るペーパーホルダーが開示されている。該文献には、「底面部を含む台部と、底面部と対向する側に位置する上覆部とが着脱可能に係合し、一体化されて紙類の挿入口が形成されるケースと、該ケースの内部に、挿入された紙類を保持するための、弾性変形可能な弾性片とを有してなり、前記弾性片は、前記挿入口側の上部に位置する支点から紙類の挿入方向側に向けて傾斜して延びる傾斜部を有する板バネからなり、前記ケースの上覆部に着脱可能に取着され、前記傾斜部の幅方向のほぼ中央部には、前記傾斜部の、前記底面部側の端部から刃の先端部が突出するように刃が設けられ、  該刃は、前記傾斜部の面に対して刃の垂直な起立状態を保持する保持片に固定され、かつ該保持片が前記傾斜部に装着されることにより設けられており、前記底面部の、前記刃の先端部よりも少なくとも挿入口側の内面に、挿入された紙類の脱落を防止するための摩擦部を備え、前記弾性片の弾性変形に基く弾性力を用いて、前記刃の先端部を、挿入された紙類に当接させて紙類を保持するように構成した、ペーパーホルダー。」が開示されている。
【０００３】
特許文献１に記載の書類保持具は、書類の移動と共に回転する転動体の表面に形成された針状体で書類を刺し止める（〔００１２〕、図３、図４）もので、不要になった紙は、引き抜くことによって、針が刺し通された部分が破れて、引き取ることができる（〔００２５〕）ものであり、生産工場のラインにおける生産指示書の保持具等として使用し得る。
しかし、引き抜いた紙は、突き刺した針状体によって破られるため、ギザギザの引き裂き跡となり、引き裂き部において紙材から離脱する塵、ゴミが発生し、これが飛散するので、クリーンルーム等での使用に適したものとはいえない。
また、紙類を確実に保持するためには（特に縦向きに使用する際等）付勢手段を用いて押さえる必要があるところ、保持された複数枚の紙類を下部の紙類（重ねられた紙の下側の紙）が脱落することなく、上部から１枚ずつ確実に抜き取ることができるようにするためには、付勢手段のバネ力を大にすればよいが、そのようにすると、紙類を挿入するとき抵抗が大きくなり、挿入がしにくくなるという問題がある。つまり、紙類の挿入のし易さと紙類の保持を確実にするという二点を両立することが難しい。
特許文献２に記載のペーパーホルダーは、板バネである弾性片の弾性変形に基く弾性力を用いて、刃の先端部を、挿入された紙類に当接させて紙類を保持するもので、弾性片の動作において撓みが生じることから、引き裂き跡が綺麗な直線状となりにくい傾向があった。また、前記特許文献１の場合と同様、紙類の挿入のし易さと紙類の保持を確実にするという二点を両立することが難しい傾向があった。
なお、クリップ（ダブルクリップなど）や洗濯挟みのように紙類を挟むタイプのもので針などを設けたものがあるが、紙類を保持するために摘み部を摘む開閉動作を行う必要があり、紙類の挿入及び引き抜きが容易なものではない。
【先行技術文献】
【特許文献】
【０００４】
【特許文献１】特許第３０８５２０１号公報
【特許文献２】特開２０１０−１４９３６０号公報
【発明の概要】
【発明が解決しようとする課題】
【０００５】
本発明は上記事情に鑑み開発されたもので、同時に複数枚の紙類を容易に挿入することができ、挿入された紙類は確実に保持され、また保持された紙類を下部の紙類が脱落することなく、上部から１枚ずつ確実に抜き取ることができ、かつ引き抜かれた紙には直線状の綺麗な引き裂き跡が残り、塵が発生しにくい、ペーパーホルダーを提供することを目的とする。
【課題を解決するための手段】
【０００６】
（１）底面部を含む台部と、底面部と空間を隔ててほぼ平行に対向する上面部と該上面部の前端に側面視略Ｕ字状をなす前端正面部とを有する上覆部と、が着脱可能に係合し、一体化されて前記前端正面部の下方に紙類の挿入口が形成されるケースと、
前記ケースの内部に設けられた軸支部において回動可能に軸支され、かつ前記紙類の引き抜き方向へバネ力が付勢された保持片であって、前記底面部側の端部から突出するように刃が設けられた保持片とを備え、
前記刃の先端部を、挿入された紙類に当接させて紙類を保持するように構成した、ペーパーホルダーであって、
前記底面部の内面に、前記挿入口近傍の位置から前記刃の先端部近傍の位置に向けて緩やかな負の勾配となる前方斜面部と、前記刃の先端部近傍の位置から前記紙類の挿入方向に向けて緩やかな正の勾配となる後方斜面部とを形成した、ペーパーホルダーである。
（２）前記前端正面部の下端は、前記前方斜面部とほぼ平行に形成され、側面視、前記紙類の挿入口が、前記刃の先端部近傍の位置に向けて斜状に延びる通路として形成されているものである。
（３）前記勾配は６〜２０°であり、前記前方斜面部及び前記後方斜面部それぞれの高低差は０．８〜３ｍｍであり、前記前方斜面部及び前記後方斜面部それぞれの水平方向長さ（ペーパーホルダーを水平に置いた状態の側面視）は４〜１０ｍｍであるものである。
【発明の効果】
【０００７】
（１）本発明によれば、紙類の挿入に伴って保持片が底面部と上覆部との間に形成される空間内で回動するとともに、保持片に作用する弾性部材のバネ力によって、刃の先端部を、挿入された紙類に当接させて紙類を保持するため、紙類は確実に保持され、保持された紙を上から１枚ずつ確実に引き抜くことができる。
底面部の内面に、挿入口近傍の位置から刃の先端部近傍の位置に向けて緩やかな負の勾配となる前方斜面部と、刃の先端部近傍の位置から紙類の挿入方向に向けて緩やかな正の勾配となる後方斜面部とを形成したため、挿入された紙類が、前方斜面部と後方斜面部との間で、側面視、下方に膨らむ弓なりに撓むように刃の先端部の押圧力が働く。それゆえ、複数枚の紙類は、各紙葉同士の摩擦抵抗が増大し、全体として、確実に保持される。特に、ペーパーホルダーを縦向きに使用する場合、下部（底板側）や中間に位置する紙が脱落することが防がれる。
前方斜面部及び後方斜面部は緩やかな勾配に形成されているため、これに沿うように紙類は誘導され、スムーズに挿入、引き抜きできる。
紙類を引き抜く際も、複数枚の紙類は、各紙葉同士の摩擦抵抗が増大し、全体として、確実に保持され、一番上の紙のみだけ確実に引き抜くことができる。特に、ペーパーホルダーを縦向きに使用する場合、下部（底板側）や中間に位置する紙も一緒に脱落することが防がれる。また、後方斜面部の存在による紙類の撓みによって、紙類を引き抜くときの紙類の刃の刃先に対する接触角も、後方斜面部がない場合に比べて小さくなるので、切断がよりスムーズに行なわれ、綺麗な切断線が得られる。
（２）前端正面部の下端は、前方斜面部とほぼ平行に形成され、側面視、紙類の挿入口が、刃の先端部近傍の位置に向けて斜状に延びる通路として形成されているため、紙類をケースの内部へ挿入する際、該通路が紙類を上方から下方へとやや斜めに誘導する機能を奏し、紙類の刃の背部に対する接触角が小さくなるため、刃の背部に対する抵抗が小となり、紙類をスムーズに挿入することができる。
（３）前記勾配は６〜２０°であり、前記前方斜面部及び前記後方斜面部それぞれの高低差は０．８〜３ｍｍであり、前記前方斜面部及び前記後方斜面部それぞれの水平方向長さは４〜１０ｍｍであるものとすることにより、紙類の挿入のし易さと紙類の保持を確実にするという二点をより的確に両立することができる。
である。
【図面の簡単な説明】
【０００８】
【図１】ペーパーホルダー１の側面図である。
【図２】弾性部材３０、保持片２０及び軸支部１７を示す斜視図である。
【図３】刃４０の側面図である。
【図４】刃固定部材５０の斜視図である。
【図５】ペーパーホルダー１の動作の説明図である。
【図６】ペーパーホルダー１の動作を説明図である。
【発明を実施するための形態】
【０００９】
本発明の実施例を挙げ、図面を参照して説明するが、本発明は以下の形態に限定されるものではない。
【実施例】
【００１０】
＜ケース＞
ペーパーホルダー１は、ケース１０と、ケース１０に内装される保持片２０とを備えている。なお、図は、ペーパーホルダー１を水平に置いた状態（横向き）で示している。
ケース１０は、底面部１１を含む台部１２と、底面部１１と対向する側に位置する上覆部１５という、二種の異なる断面を有する成形品の組合せからなり、両者は着脱可能に係合し、一体化されて手前側に紙類の挿入口１９が形成されている。台部１２、上覆部１５は、硬質の合成樹脂材等で形成されている。ケース１０の大きさは、限定されないが、一例として、その高さは１．２〜２ｃｍ程度、奥行きは３〜５ｃｍ程度、幅は２．５ｃｍ〜６ｃｍ程度のものが挙げられる。
ケース１０の台部１２には、その後端からほぼ直角に起立した後壁部１３が形成され、該後壁部１３に上覆部１５が係止されている。後壁部１３の内面には、上端鉤状部１３ａからやや距離をおいて上下二段に突出した突出片１３ｂ，１３ｃが形成されており、その先端の係止部１３ｄ，１３ｅに、上覆部１５の後端部に上下二段に形成された係止部１５ａ，１５ｂがそれぞれ係止されて、一体化されている。
上記のように、ケース１０は、硬質の合成樹脂材からなり、底面部１１と、該底面部１１の後端から起立する後壁部１３とが一体成形された台部１２と、後壁部１３に形成された係止部に着脱可能に係止されて台部１２と一体化される上覆部１５とで構成されており、台部１２と上覆部１５とを互いに逆に（横方向）にスライドさせれば分解可能である。
【００１１】
上覆部１５は、底面部１１と空間を隔ててほぼ平行に対向する平面状の上面部１５ｃと該上面部１５ｃの前端に側面視略Ｕ字状をなす前端正面部１５ｄとを有している。前端正面部１５ｄの下端と底面部１１との間に紙類の挿入口１９が形成されている。
前端正面部１５ｄの内側には、後述する保持片２０が軸支されるための軸支部１７が、前端正面部１５ｄからＵ字状内空間（上面部１５ｃと前端正面部１５ｄ下端部との間の空間）に突出するように形成されている。すなわち、軸支部１７は、上面部１５ｃの前端側の内面近傍に位置する。軸支部１７は、ケース１０の横幅より短い横幅に形成されており、軸支部１７には、シャフト（図示省略）を挿通可能な孔が横方向（ケースの幅方向）に形成されている（図２参照）。
【００１２】
底面部１１の外面が平坦面であるのに対し、底面部１１の内面には、挿入口１９近傍の位置（前端正面部１５ｄの下端近傍）から、紙類が未挿入の状態における刃の先端部４３近傍の位置に向けて緩やかな負の勾配となる前方斜面部１１ａと、紙類が未挿入の状態における刃の先端部４３近傍の位置から、紙類の挿入方向に向けて緩やかな正の勾配となる後方斜面部１１ｃとが形成されている。前方斜面部１１ａの手前側は前方斜面部１１ａの頂部から緩やかな負の勾配となる斜面部が形成され、後方斜面部１１ｃの後壁部１３側は、後方斜面部１１ｃの頂部から緩やかな負の勾配となる斜面部が形成されている。
前方斜面部１１ａ及び後方斜面部１１ｃの各勾配（傾斜角）は６〜２０°、前方斜面部１１ａ及び後方斜面部１１ｃそれぞれの高低差（紙類が未挿入の状態における刃の先端部４３が位置する底板１１の内面の水平レベルを基準とした各斜面部頂部までの垂直方向の長さ）は０．８〜３ｍｍ、さらには、前方斜面部１１ａ及び後方斜面部１１ｃそれぞれの水平方向長さは４〜１０ｍｍ、前方斜面部１１ａの頂部と後方斜面部１１ｃの頂部との間の水平方向長さは１２〜２２ｍｍの範囲が、紙類の挿入のし易さと脱落のしにくさの二点の両立をより的確にする観点から好ましい。
前方斜面部１１ａと後方斜面部１１ｃを形成することによって、底面部１１の内面に、側面視、全体として緩やかな湾曲を呈する凹部が形成され、前方斜面部１１ａの頂部と後方斜面部１１ｃの頂部との間（中間部）に、刃の先端部４３が位置している。前方斜面部１１ａと後方斜面部１１ｃは側面視、直線状のほか、緩やかな曲線で弓なり又は弧状となるように形成してもよい。刃の先端部４３が位置する、前方斜面部１１ａと後方斜面部１１ｃとの間には平坦面が形成されているが、該平坦面を緩やかな凹状の曲面に形成したり、前方斜面部１１ａと後方斜面部１１ｃとを直接に接続してもよい。
前方斜面部１１ａには、挿入された紙類７０の脱落をよりしにくくするための摩擦部１４が設けられている。摩擦部１４は、挿入された紙類の底面部１１に対する摩擦力を増大させて紙類の脱落を防止するもので、図示の例では、ゴム等のシート部材を貼り付けることにより構成されている。
【００１３】
前端正面部１５ｄの下端は、前方斜面部１１ａとほぼ平行に形成され、側面視、紙類の挿入口１９が、紙類が未挿入の状態における刃の先端部４３近傍の位置に向けて斜状に延びる通路として形成されている。この通路が紙類をケース１０の内部へ挿入する際、紙類を誘導する通路となる。前端正面部１５ｄの下端における、紙類挿入方向側の先端部１５ｅは後述する保持片２０の縦面部２１の紙類引き抜き方向への動きを規制するストッパーとして機能する。
【００１４】
＜保持片＞
保持片２０は、ケース１０の内部に設けられた軸支部１７において回動可能に軸支されており、かつ紙類の引き抜き方向へ弾性部材３０によってバネ力が付勢されている。そして、保持片２０の底面部側の端部から刃４０の先端部４３が突出するように刃４０が設けられている。
保持片２０は、例えば、図２中段に示すように、折り曲げ加工された、所要の剛性を有する板状体からなり、前端正面部１５ｄの内側に設けられた軸支部１７において回動可能に軸支され、軸支部１７から底面部１１側へ延びる縦面部２１を備えている。
保持片２０は、剛性を有する板状体からなるため、板状体の加工等により簡単に製作できる。
保持片２０は、例えば、厚さ０．１〜０．３ｍｍ程度のＳＫ材、ステンレス鋼材等の金属板で形成し得る。保持片２０そのものは多少の弾性を有してよいが、保持片２０の剛性が、使用時（保持片２０の回動時）において後述する弾性部材３０よりも大きくなるように製作される。保持片２０の横幅は、一例として２〜４ｃｍ程度である。
保持片２０は、側面視略くの字状に屈曲され、縦面部２１に連なる横面部２２を備え、縦面部２１と横面部２２とがアール状に交わる屈曲部近傍において軸支部１７に軸支されている。
保持片２０は、前端正面部１５ｄの内側に設けられた軸支部１７において回動可能に軸支され、軸支部１７から底面部１１側へ延びる縦面部２１を備えているため、底面部１１と上覆部１５とに形成される空間を最大限に有効に利用して保持片２０が配置されており、物品の大型化を招くことがなく、また、限られた狭い空間内で保持片（及び刃）の回動半径を大きくとることができ、紙類の挿入、引き抜きに際し、保持片の円滑で安定した動作が確保される。
保持片２０は、側面視略くの字状に屈曲され、縦面部２１に連なる横面部２２を備え、縦面部２１と横面部２２とが交わる屈曲部近傍において軸支部１７に軸支され、横面部２２に弾性部材３０が固定されている構成により、弾性部材３０によるバネ力を適切に保持片２０に対し付勢することができる。
【００１５】
図２に示すとおり、保持片２０の横面部２２の両端部は、下方に直角に折り曲げられ、シャフトを通すための軸挿入孔２２ａを有する取付部２２ｂ，２２ｂが形成されている。軸支部１７の左右両端部に取付部２２ｂ，２２ｂが位置させ、シャフト（図示省略）を、軸支部１７の孔及び取付部２２ｂの軸挿入孔２２ａを貫通させ、適宜止め具（例えば、シリコンゴム等の弾性筒状体等）で止めることにより、保持片２０が軸支部１７に軸支されるようになっている。したがって、保持片２０はケース１０に着脱可能である。
【００１６】
また、保持片２０の縦面部２１の下端部（底面部側）は、紙類の挿入方向側に向けて折り曲げられて折り曲げ部２６を形成しており、さらには後述する刃固定部材５０を所定位置（縦方向）にセットするための係止部２７が連設されている。該係止部２７を後述する刃固定部材５０に係止して固定する。
また、保持片２０の縦面部２１の左右両端には、後述する刃固定部材５０を所定位置（横方向）にセットするための係止部２８が連設されている。
折り曲げ部２６の幅方向の中央部には刃固定部材５０に固定された刃が挿通するスリット２６ａが形成されている。折り曲げ部２６及び係止部２７は、後述する刃固定部材５０の縦方向の位置決め部となり、スリット２６ａ及び係止部２８は、刃４０が設けられた刃固定部材５０の横方向の位置決め部となる。スリット２６ａを通って、縦面部２１の底面部側の端部から刃４０の先端部４３が突出する。
なお、特許文献１に記載の発明では、転動体（シャフト）の表面に針状体を形成しているため、回転半径を大きくとろうとすると、転動体の直径も大きくなり、それに応じたスペースを要するのに対し、本発明ではそのようなことなく保持片の位置を設定でき回動半径を大きくとって安定した動作が得られる。
さらに、刃は、針状体と異なり、刃先（刃渡り）部分及び背部分としてある程度の長さがあり、刃渡り部分に対応する高さを有して所定の面積を備えた腹部が形成されるのが必定であるところ、この刃を含む保持片２０を、ケース１内の狭い空間に、円滑で安定した動作を確保した上で配置したという工夫がなされている。
【００１７】
＜弾性部材＞
弾性部材３０は、保持片２０に対して紙類の引き抜き方向へバネ力を付勢する。
本実施例では、図２上段に示すように平面視略Ｔ字状、側面視くの字状の板バネにより構成されている。板バネは、例えば、厚さ０．０６〜０．０９ｍｍ程度のＳＫ材、ステンレス鋼材等の金属板で形成し得る。板バネ３０の中央帯状部３０ａの幅を適宜設定することにより、バネ力の調整ができる。
弾性部材３０は、その横長部３０ｂにおいて保持片２０の横面部２２に溶接その他の適宜手段で固定され、ケース１０の上覆部１５の上面部１５ｃの内面に略沿うように配置される。
【００１８】
＜刃＞
刃４０は、カッターナイフの刃に使われる炭素工具鋼（ＳＫ）など、鋼製のものが好適に用いられる。その厚さは、通常、０．３〜１．２ｍｍ程度である。
図３に示すように、刃４０は、直線状に延びる背部４１と、該背部４１と交差して鋭角状の刃の先端部（ポイント）４３を形成する刃先（エッジ）４４と、背部４１と対向する位置にある刃元４５（刃先４４の根元）と、この刃元４５の近傍から背部４１に向けて傾斜して伸びる傾斜辺部４６とを有している。この傾斜辺部４６の傾斜角βはほぼ４０〜６０°の範囲である。刃４０の先端部４３の角度は、通常３０〜４５°程度である。刃４０の背部４１の長さは、一例として６〜１２ｍｍ程度である。
刃４０は、交差して鋭角状の刃の先端部４３を形成する背部４１と刃先４４、と、刃元４５の近傍から背部４１に向けて傾斜して延びるにように形成された傾斜辺部４６とを有する形状であるため、ケース１の狭い内部空間に刃４０が合理的に配置され、刃４０を含む保持片２０の動きがケース１によって干渉されることなく、刃４０及び保持片２０が確実に動作する。
【００１９】
＜刃固定部材＞
刃固定部材５０は、刃４０を固定し、所定位置に保持するとともに、保持片２０の縦面部２１に装着される部材である。刃固定部材５０には、刃４０の先端部４３が突出するように刃４０が設けられる。また、刃４０は、縦面部２１の面に対して刃４０の垂直な起立状態を保持するように刃固定部材５０に固定される。
図４に示すように、刃固定部材５０は、保持片２０の縦面部２１に固定される平面部（底面部）５１を備えたベース部５２と、該ベース部５２から垂直に起立し、刃４０の腹部（平）の両サイドで腹部を保持する、刃４０を収容固定するための起立部５３とを有する。起立部５３は、刃４０の高さに適合する高さを有する。この起立部５３には刃４０の輪郭に沿うスリット５４が形成されており、このスリット５４に刃４０を挿入、固定して、刃４０のベース部５２に対する垂直状態が保持される。刃固定部材５０は、合成樹脂の成形品により構成し得る。
刃固定部材は、保持片２０に固定可能なベース部５２と、該ベース部５２から垂直に起立し、刃の腹部を両サイドで保持する起立部５３とを有するため、刃固定部材５０の構成が簡易であり、製作コストも低廉である。
刃４０は、保持片２０に対して刃の垂直な起立状態を保持する刃固定部材５０に固定され、刃固定部材５０は、縦面部２１の紙類挿入方向側の面に、刃４０の先端部が縦面部２１の底面部１１側の端部（スリット２６ａ）から突出するように設けられているため、刃は所定の位置、向きに刃固定部材５０によって確実に保持されるとともに、刃固定部材５０を用いた保持片２０に対する取付け、組立てが簡単である。
【００２０】
刃固定部材５０は、ベース部５２の平面部５１において、保持片２０の縦面部２１の、幅方向のほぼ中央部、挿入方向側の内面に固定される。縦面部２１の下端の折り曲げ部２６にベース部５２を合わせて、固定部材５０が固定される。刃４０は、縦面部２１の面に対して刃の垂直な起立状態を保持して固定されるとともに、縦面部２１のスリット２６ａを通って、底面部１１側の端部から刃４０の先端部４３が突出するように設けられることとなる。刃４０の背部４１は、縦面部２１に沿って取り付けられることとなる。
このとき、刃４０は、交差して鋭角状の刃の先端部４３を形成する背部４１と刃先４４と、刃元４５の近傍から背部４１に向けて傾斜して伸びる傾斜辺部４６とを有する、全体として背部４１を底辺とするほぼ三角形状であるため、ケースの狭い内部空間に刃４０が合理的に配置され、縦面部２１の動きに伴い刃の動きが支障を来たすことがなく（背部４１に対向する側が弾性片２０の上面部１５ｃに突き当たることがなく）、刃４０を含む保持片２０が確実に動作する。
【００２１】
本実施例では、縦面部２１の折り曲げ部２６に連設された係止部２７を係止可能な凹溝部５５がベース部５２の表面に形成されている。この凹溝部５５よりも端部側には、先端が肉薄なテーパー部５６が形成されており、刃固定部材５０の縦面部２１への装着がし易いようになっている。
したがって、刃固定部材５０は、縦面部２１の所定位置に確実、簡単に装着可能である。
なお、上記のほか、刃固定部材５０の縦面部２１への固定は、両面粘着テープ、接着剤、その他の適宜固定手段を用いることができる。
【００２２】
図１に示すとおり、ケース１０の底面部１１の、刃４０の先端部４３が位置する近傍には、適宜平面形状の透孔（又は凹部）１１ｅが形成されており（該部付近のみ便宜上断面図で示している。）、該透孔１１ｅ空間に刃４０の先端部４３が納まる。前記したとおり、前端正面部１５ｄの下端には、先端部１５ｅが形成されているので、保持片２０の縦面部２１の紙類引き抜き方向への動きは、先端部１５ｅがストッパーとなって規制されるため、刃４０の先端部４３は、底面部１１に接触せず、損傷等から保護される。
また、刃４０の背部４１は、保持片２０の縦面部２１に沿っており、紙類挿入方向に向けてやや傾斜して配置されているため、紙類の挿入も容易に行われる。
【００２３】
＜動作＞
上記実施の形態の動作について、図５、図６を参照して説明する。
図５は、紙類７０を挿入口１９から図の矢印に示す方向に挿入した状態を示し、図６は、挿入した紙類７０の一番上の紙を引き抜く状態を示すものである。
図５に示すように、先ず、適宜複数枚（通常、５〜１０枚程度）の紙類７０を重ねた状態で、挿入口１９からケース１０の内部へ挿入する。すると、紙類７０の前端部は刃４０の背部４１に軽く当り、さらに保持片２０に対する挿入口側への弾性部材３０によるバネ力に抗して挿入を続けると、紙類７０は、より内部へ進入する。この時、保持片２０の縦面部２１は、軸支部１７を支点として、図面矢印の方向（挿入方向側）に回動し、保持片２０にかかるバネ力は、刃４０の先端部４３が紙類７０を、底面部１１との間で挟持するように働く。刃４０の先端部４３は、挿入された紙類７０の上部に位置する紙に当接し、通常、やや食い込んで刺さった状態となる。紙類７０の先端は後方斜面部１１ｃの先まで挿入される。しかして、保持片２０にかかるバネ力を用いて、紙類７０は、刃４０の先端部４３と底面部１１との間に保持される。
ここで、前記のとおり、底面部１１の内面には、挿入口１９近傍の位置（前端正面部１５ｄの下方）から刃の先端部４３近傍の位置に向けて緩やかな負の勾配となる前方斜面部１１ａと、刃の先端部４３近傍の位置から、紙類７０の挿入方向に向けて緩やかな正の勾配となる後方斜面部１１ｃとが形成されている。このため、挿入された紙類７０が、図示のように、前方斜面部１１ａと後方斜面部１１ｃとの間（前方斜面部１１ａの頂部と後方斜面部１１ｃの頂部との間）において、側面視、下方に膨らむ弓なりに撓むように刃４０の先端部４３の押圧力が働く。それゆえ、複数枚の紙類７０は、上記のような紙類７０の撓みがない場合に比べて各紙葉同士の摩擦抵抗が増大し、全体として、確実に保持される。したがって、ペーパーホルダー１は縦向きに使用される場合が多いところ、そのように縦向きに使用する場合にあって、下部（底板側）や中間に位置する紙が脱落することが防がれる。前方斜面部１１ａと後方斜面部１１ｃとが存在しない場合では、上記のような紙類７０の撓みは生じないので、紙の脱落が生じやすい。
また、前記のとおり、前端正面部１５ｄの下端は、前方斜面部１１ａとほぼ平行に形成され、側面視、紙類の挿入口１９が、紙類が未挿入の状態における刃の先端部４３近傍の位置に向けて斜状に延びる通路として形成されている。このため、紙類をケース１０の内部へ挿入する際、該通路が紙類を上方から下方へとやや斜めに誘導する機能を奏し、刃４０の背部４１（及び先端部４３）に対する接触角が小さくなるため、刃４０に対する抵抗が小となり、紙類をスムーズに挿入することができる。また、前方斜面部１１ａ及び後方斜面部１１ｃは緩やかな勾配に形成されているため、これに沿うように紙類７０は誘導され、スムーズに挿入、引き抜きできる。
【００２４】
一番上に位置する紙が不要になった場合、該紙を、図６に示すように、挿入口１９から矢印に示す方向に引き抜く。この時、刃４０の先端部４３と紙類７０との摩擦力及び弾性部材３０のバネ力によって、保持片２０は図面矢印の方向（引き抜き方向側）に、軸支部１７を支点としてやや回動して、刃４０の先端部４３は、一番上に位置する紙のみならずその下に位置する紙（通常、例えば２〜５枚等、複数枚）をも突き刺す状態となる。このため、一番上に位置する紙以外の紙類７０は、刃４０の先端部４３と底面部１１とで保持されて脱落することがなく、一番上の紙のみだけ確実に引き抜くことができる。摩擦部１４は、このとき他の紙類７０の脱落を防止する上で有効に作用する。
ここで、前記のとおり、底面部１１の内面には、挿入口１９近傍の位置（前端正面部１５ｄ下の下方）から刃の先端部４３近傍の位置に向けて緩やかな負の勾配となる前方斜面部１１ａと、刃の先端部４３近傍の位置から、紙類の挿入方向に向けて緩やかな正の勾配となる後方斜面部１１ｃとが形成されている。このため、紙類７０が、図示のように、前方斜面部１１ａと後方斜面部１１ｃとの間（前方斜面部１１ａの頂部と後方斜面部１１ｃの頂部との間）において、側面視、下方に膨らむ弓なりに撓むように刃４０の先端部４３の押圧力が働く。それゆえ、複数枚の紙類７０は、各紙葉同士の摩擦抵抗が増大し、全体として、確実に保持され、一番上の紙のみを確実に引き抜くことができる。ペーパーホルダー１は縦向きに使用される場合が多いところ、そのように縦向きに使用する場合にあって、下部（底板側）や中間に位置する紙も一緒に脱落することが防がれる。前方斜面部１１ａと後方斜面部１１ｃとが存在しない場合では、上記のような紙類７０の撓みは生じないので、紙の脱落が生じやすい。
引き抜かれた一番上に位置する紙は、刃４０の先端部４３が突き刺さった状態で引き抜かれることになるので、刃４０の先端部４３が突き刺さった接触点を始点として紙の前端側に至る直線状の綺麗な切断線（跡）が形成される。また、後方斜面部１１ｃの存在による紙類の撓みによって、紙類７０を引き抜くときの刃４０の刃先４４との接触角も、後方斜面部１１ｃがない場合に比べて小さくなるので、切断がよりスムーズに行なわれ、綺麗な切断線が得られる。
上記動作を繰り返すことによって、簡単かつ確実に１枚ずつ紙類を取り出すことができる。
ペーパーホルダー１の設置方向、設置場所、設置手段は限定されない。ケース１０の裏面（底面部１１の外面）に粘着テープ等を張って、各種壁部に設置することができる。保持すべき紙類のサイズに応じて、ペーパーホルダー１を横長の板状基板に横に複数個並べて設置し、使用することもできる。
【符号の説明】
【００２５】
１   ペーパーホルダー
１０  ケース
１１  底面部
１１ａ  前方斜面部
１１ｃ  後方斜面部
１２  台部
１４  摩擦部
１５  上覆部
１５ｃ  上面部
１５ｄ  前端正面部
１７  軸支部
１９  紙類の挿入口
２０  保持片
３０  弾性部材
４０  刃
４１  刃の背部
４３  刃の先端部
【図１】
2012121203.tif 000003
【図２】
2012121203.tif 000004
【図３】
2012121203.tif 000005
【図４】
2012121203.tif 000006
【図５】
2012121203.tif 000007
【図６】
2012121203.tif 000008